【事件の表示】
　上記当事者間の特許第２９８１８５１号発明「パチンコ機の施錠装置」の特許無効審判事件について、次のとおり審決する。
【結　論】
　特許第２９８１８５１号の請求項１及び２に係る発明についての特許を無効とする。
　審判費用は、被請求人の負担とする。
【理　由】
第１．手続の経緯
　本件特許第２９８１８５１号の請求項１及び２に係る発明は、平成８年８月２７日に特願平８−２２５５８３号として出願され、平成１１年９月２４日にその設定登録がなされ、これに対して平成１４年１２月１６日に株式会社サクラより本件無効審判の請求がなされ、平成１５年１月２１日付けで被請求人に対して答弁を指令したところ、答弁期間を経過した平成１５年６月１６日付けで被請求人から上申書が提出されたものである。
　　　
第２．本件発明
　特許第２９８１８５１号の請求項１及び２に係る発明（以下、「本件発明１及び２」という。）は、その特許請求の範囲に記載された以下のとおりのものである。
　「請求項１　取付板と支持板からなる基枠体の内側に連結杆が摺動可能に配設され、該支持板の上部と下部に鉤部材が連結杆に連結されて傾動可能に枢支され、該取付板の中間部にシリンダ錠がその錠軸を取付板に設けた孔から内側に差込むように固定され、該錠軸の先端に前記連結杆と係合するカム板が固定され、前記基枠体の取付板がパチンコ機の前面枠に縦に取付けられ、本体枠側に取付けられた受け金具に前記鉤部材が係止されて前面枠を施錠するパチンコ機の施錠装置において、鉤部を有する前パネル施錠杆が前記支持板に沿って該鉤部を取付板から前面側に突出させた状態で上下に摺動可能に配設され、該前パネル施錠杆を施錠側に付勢するばねが取付けられ、該前パネル施錠杆の一部に操作部が設けられ、前面枠内の下部に開閉可能に取付けられた前パネルの縁部に係止片が設けられ、該前パネル施錠杆の鉤部が該係止片に係止されて該前パネルが施錠されるように構成したことを特徴とするパチンコ機の施錠装置。」
　「請求項２　鉤部を上下に有するガラス枠施錠杆が、前記支持板に沿って、該鉤部を取付板から前面側に突出させた状態で、摺動可能に配設され、該ガラス枠施錠杆の一部に前記カム板が係合可能な係合孔が設けられ、ガラス枠の一部に設けた係止片にガラス枠施錠杆の鉤部が係止されてガラス枠が施錠され、前記シリンダ錠を前面枠の解錠時と反対方向に回して該カム板を同方向に回動させ、ガラス枠施錠杆を摺動させてガラス枠を解錠する請求項１記載のパチンコ機の施錠装置。」
　　　
第３．当事者の求めた審判
１．請求人の主張　
　請求人は、審判請求書において、本件発明１及び２の出願前に公知の刊行物として下記の甲第１号証乃至甲第７号証を提出して、特許第２９８１８５１号の特許を無効とする、審判費用は被請求人の負担とする、との審決を求めることを請求の趣旨とし、本件発明１及び２の特許を無効とすべき理由として、次のように主張する。
　本件特許に係る発明１及び２は、甲第１号証乃至甲第７号証に記載される周知技術の単なる寄せ集めであるから特許法第２９条第２項の規定により特許を受けることができないものであり、あるいは、甲第１号証及び甲第２号証に記載された発明に基づいて容易に発明をすることができたものであるから特許法第２９条第２項の規定により特許を受けることができないものであって、特許法１２３条第１項第２号の規定により無効とされるべきである。
　甲第１号証：実公平４−１３０３２号公報
　甲第２号証：実公昭５６−２５７２４号公報
　甲第３号証：特公平６−８３７４５号公報
　甲第４号証：特開昭６２−５３６７９号公報
　甲第５号証：実公昭６２−７３５４号公報
　甲第６号証：実公昭４９−２４３０３号公報
　甲第７号証：実公昭５１−６２３２号公報
　　　　　　　
２．被請求人の主張
　被請求人は、前記第１．手続の経緯で示したように、請求人の主張に対して上申書をもって反論している。
　　　　　　　　　　　　　
第４．当審の判断
１．本件発明２の認定
　本件発明２は、本件発明１を引用する形式で記載されているところ、その全体構成を分説（ａ乃至ｌは、便宜上の整理のために付した。）すると、以下の記載のとおりのものと認められる。
　「（ａ）取付板と支持板からなる基枠体の内側に連結杆が摺動可能に配設され、該支持板の上部と下部に鉤部材が連結杆に連結されて傾動可能に枢支され、
（ｂ）該取付板の中間部にシリンダ錠がその錠軸を取付板に設けた孔から内側に差込むように固定され、
（ｃ）該錠軸の先端に前記連結杆と係合するカム板が固定され、
（ｄ）前記基枠体の取付板がパチンコ機の前面枠に縦に取付けられ、本体枠側に取付けられた受け金具に前記鉤部材が係止されて前面枠を施錠するパチンコ機の施錠装置において、
（ｅ）鉤部を有する前パネル施錠杆が前記支持板に沿って該鉤部を取付板から前面側に突出させた状態で上下に摺動可能に配設され、該前パネル施錠杆を施錠側に付勢するばねが取付けられ、該前パネル施錠杆の一部に操作部が設けられ、
（ｆ）前面枠内の下部に開閉可能に取付けられた前パネルの縁部に係止片が設けられ、
（ｇ）該前パネル施錠杆の鉤部が該係止片に係止されて該前パネルが施錠されるように構成するとともに、
（ｈ）鉤部を上下に有するガラス枠施錠杆が、前記支持板に沿って、該鉤部を取付板から前面側に突出させた状態で、摺動可能に配設され、
（ｉ）該ガラス枠施錠杆の一部に前記カム板が係合可能な係合孔が設けられ、
（ｊ）ガラス枠の一部に設けた係止片にガラス枠施錠杆の鉤部が係止されてガラス枠が施錠され、
（ｋ）前記シリンダ錠を前面枠の解錠時と反対方向に回して該カム板を同方向に回動させ、
（ｌ）ガラス枠施錠杆を摺動させてガラス枠を解錠するように構成したことを特徴とするパチンコ機の施錠装置。」
　　　
２．刊行物に記載の発明
 （１）甲第１号証に記載の発明
　i．請求人が甲第１号証として提出した刊行物である実公平４−１３０３２号公報には、以下の事項が記載されている。
　「遊技盤を固定した基枠が機枠本体に開閉自在に支持され、前記基枠に前面枠が開閉自在に支持されたパチンコ機のロック装置において、前記基枠に固定されたベース板と、このベース板に固着した共通のガイドピンが挿通され、ベース板を挟む両側で移動自在に支持された同じ形状をした第１および第２作動部材と、これらの作動部材を互いに逆向きに付勢する一対の付勢部材と、前記基枠に回動自在に取付けられ、一方が機枠本体に設けた係止部に係合し、他方が前面枠に設けた係止部に係合する同じ形状をした第１および第２フック部材と、第１付勢部材と第１フック部材並びに第２作動部材と第２フック部材とをそれぞれ連結し、作動部材の各々が前記それぞれの付勢部材に抗して解除方向に移動したときに、対応するフック部材をそれぞれの係止部から離脱させる同じ形状をした第１および第２連結レバーと、基枠の前面から挿入されたキーの回転方向に応じ、前記第１および第２作動部材に設けた押圧部を選択的に押圧して作動部材の一方を解除方向に移動させる解除ピンとからなることを特徴とするパチンコ機のロック装置。」（第１頁第１欄第２〜２４行）、
　「本考案を用いたパチンコ機の外観を示す第２図において、基枠１は開口部２に遊技盤（図示省略）が固定された後、機枠本体３に周知の手段により開閉自在に取り付けられる。また、基枠１には前面ガラス４を保持した前面枠５が開閉自在に取り付けられている。この前面枠５は、前面ガラスが嵌め込まれた従来のガラス枠と、景品球を貯留してパチンコ球を一個づつ発射装置まで送る上皿が取り付けられた従来の前板とが一体化されたものとして構成されている。前記基枠１の一側面にはベース板８が固定され、このベース板８にはロック装置１０が取り付けられている。ロック装置１０は、後述するように、機枠本体３に固着された係止金具１１に係合する第１フック１２と、前面枠５に固着された係止金具１４に係合する第２フック１５とを含んでいる。これらの第１、第２フックは、それぞれ一対づつ設けられている。基枠１の前面側に露呈して設けられたキー挿入部１６にキー１８（第１図参照）を挿入し、これを右方向に回動させると（第１図で反時計万向となる）、第２フック１５のそれぞれの先端部が下がり、係止金具１４から係合解除される。これにより、前面枠５が基枠１から開放されるようになる。また、キー１８を左方向に回動させると（第１図では時計方向となる）、第１フック１２のそれぞれの先端部が上がり、係止金具１１から係合解除される。これにより、基枠１が機枠本体３から開放されるようになる。基枠１を閉じるときには、基枠１を機枠本体３に向かって押し込めば、係止金具１１が第１フック１２の下側に形成されたテーパ面を介して第１フック１２を押し上げるので、基枠１を一定量押し込んだ時点で、第１フック１２が係止金具１１と係合する。同様に、前面枠５を基枠１に一定量押し込むことによって、第２フック１５が係止金具１４に係合するので、前面枠５が閉じられることになる。前記ロック装置１０を示す第１図において、基枠１に固着されたベース板８は、前面枠５の開閉方向に沿った立ち上がり面９を備えている。この立ち上がり面９には、裏面側まで貫通して突設された一対のガイドピン２０が設けられている。そして、前記立ち上がり面９の両側には、前記ガイドピン２０が挿通されるスロット２３，２４がそれぞれ形成された作動レバー２５，２６がスライド自在に支持されている。作動レバー２５の両端には連結レバー２８が軸着されている。また、連結レバー２８には、ピン３０によってベース板８に回動自在に軸着された第１フック１２の一端が軸止めされている。同様に、作動レバー２６の両端には連結レバー３２が軸着されている。また、ピン３３によりベース坂８に軸着された第２フック１５の一端は、前記連結レバー３２に軸止めされている。作動レバー２５および作動レバー２６は、それぞれベース板８との間に掛けられたばね３５，３６によって、一方は上方へと付勢され、他方は下方へと付勢されている。作動レバー２５，２６のそれぞれが前記ばね３５，３６によって初期位置にあるときには、図示のように、第１フック１２、第２フック１５のそれぞれはロック位置にあり、係止金具１１，１４と係合している。作動レバー２５には解除片３８、作動レバー２６には解除片３９がそれぞれカシメなどにより固着されている。作動レバー２６の解除片３９の端部は、ベース板８のスリット４０を貫通して、解除片３８の上に位置している。そして、これらの解除片３８，３９の間には、キー１８の操作によって回動される回動板４２に植設された、解除ピン４３が突出している。なお、作動レバー２６には手動解除レバー４５が固着されている。また、符号４６は基枠１に固着された開放ばねを示しており、基枠１に対して前面枠５を閉じたときに蓄勢されて、前面枠５を開き方向に付勢する。」（第２頁第３欄第３３行〜第３頁第５欄第１９行）。
　　　　　
　ii．甲第１号証における前記摘示の記載及び図面第１及び２図によれば、該甲第１号証には、以下の発明（以下、「引用発明」という）が記載されているものと認められる。
　「（ａ′）基枠１に対する固着面部と立ち上がり面部とからなるベース板８の内側に連結レバー２８及び作動レバー２５が摺動可能に配設され、該ベース板８の立ち上がり面部の上部と下部に第１フック１２が連結レバー２８に連結されて傾動可能に枢支され、
(ｂ′)該ベース板８の固着面部の中間部にキー挿入部１６がそのキー受け入れ軸をベース板８の固着面部に設けた孔から内側に差込むように固定され、
（ｃ′）該キー受け入れ軸の先端に前記作動レバー２５に固着された解除片３８と係合するように解除ピン４３を植設した回動板４２が固定され、
（ｄ′）前記ベース板８の固着面部がパチンコ機の基枠１に縦に取付けられ、機枠本体３側に取付けられた係止金具１１に前記第１フック１２が係止されて基枠１を施錠するパチンコ機のロック装置において、
（ｅ′）前面枠５を対象として第２フック１５を有する連結レバー３２及び作動レバー２６が前記ベース板８の立ち上がり面部に沿って該第２フック１５をベース板８の固着面部から前面側に突出させた状態で上下に摺動可能に配設され、該連結レバー３２及び作動レバー２６を施錠側に付勢するばね３６が取付けられ、該連結レバー３２及び作動レバー２６の一部に手動解除レバー４５が設けられ、
（ｆ′）基枠１に開閉可能に取付けられたガラス枠と前板とが一体化された前面枠５の縁部に係止金具１４が設けられ、
（ｇ′）該連結レバー３２の第２フック１５が該係止金具１４に係止されて該前面枠５が施錠されるように構成するとともに、
（ｈ′）前面枠５を対象として第２フック１５を上下に有する連結レバー３２及び作動レバー２６が、前記ベース板８の立ち上がり面部に沿って、該第２フック１５をベース板８の固着面部から前面側に突出させた状態で、摺動可能に配設され、
（ｉ′）該連結レバー３２及び作動レバー２６の一部に前記回動板４２および解除ピン４３が係合可能な解除片３９が設けられ、
（ｊ′）前面枠５の一部に設けた係止金具１４に連結レバー３２及び作動レバー２６の第２フック１５が係止されて前面枠５が施錠され、
（ｋ′）前記キー挿入部１６を基枠１の解錠時と反対方向に回して該回動板４２および解除ピン４３を同方向に回動させ、
（ｌ′）連結レバー３２及び作動レバー２６を摺動させて前面枠５を解錠するように構成したパチンコ機の施錠装置。」
　　　　
　（２）甲第２号証に記載の発明
　i．請求人が甲第２号証として提出した刊行物である実公昭５６−２５７２４号公報には、以下の事項が記載されている。
　「第１図は使用状態を示す一部欠截せる斜視図で、第２図は本考案の要部を拡大して示した一部欠截せる斜視図である。これら図面において、１はパチンコ機の前面を塞ぐ木製の前枠で、２は金枠、３はガラス枠、４は前板であり、５は断面Ｕ字形に形成した中桟を示す。前枠１は周知の様に額縁形をなし、その一側をパチンコ機枠の閉口縁に蝶着して開閉自在に取付けられるもので、その中央部に開設される窓に上記金枠２を収めるようにしてある。金枠２は矩形に形成した一方の縦框２′の内周に上記ガラス枠３と前板４を上下に並べて各蝶着し、その夫々を開閉自在に取付ける」（第２頁第４欄第１２〜２４行）、
　「図面には示されないが、ガラス枠３は遊技盤の前面を塞ぐもので、この枠には透明な板ガラスが嵌め込まれ、遊技盤が透視できるようにしてあり、また前板４は遊技盤下方に備えられる発射機構部を覆うもので、その前面には賞球受皿が、背面には打玉を発射機構部に供給する供給装置等が装備される。６は上記構成された金枠２の一方の縦框２′の内周縁に沿ってその略全長に亙るように付設した本考案に係る施錠装置の基板で、７はこの基板の側面に取付けられるガラス枠３を係止するための第一の錠片、８は前板４を係止するための第二の錠片で、９はガラス枠の自由端に設けた係止杆、１０は前板の同じく自由端に設けた係止杆である。上記両錠片７，８は帯状の金属板で成形してあり、その夫々には縦長の長孔１１，１２が設けられ、この長孔に前記基板の側面に植設するピン１３，１４を滑合させることによつて基板６に対し上下に摺動可能に取付けられる。そして、これら錠片７，８は基板６との間に張設するバネ１５，１６によつて上方に付勢され、長孔１１，１２の下端にピン１３，１４を当接し、常には引き上げられた状態におかれる。１７及び１８は基板６に形成した案内条溝で、１９，２０は錠片７，８に形成した傾斜係合溝である。」（第２頁第４欄第３８行〜第３頁第５欄第１７行）、
　「そして、突入した係止杆は第３図に示した様に案内条溝１８に沿って水平に直進し、その途中に突出する山形の部分２１を押下げて案内条溝１８の奥の空部２２に入り込み、バネ１６の付勢によって上昇復帰する錠片８の作動によって傾斜係合溝２０の奥に閉じ込められ係止されるようになっている。従って、開放されたガラス枠３と前板４は前述の様に中桟５を縦框２′，２′間に渡したのち、それぞれ閉塞すると、各自由端に設けた係止杆９，１０が案内条溝１７，１８に突入し、錠片７，８を押下げてその傾斜係合溝１９，２０に各係合するため、その開放が阻止され閉塞状態に拘束されることになる。図中、２３は上記拘束された係止杆９と１０を釈放するための鍵部材で、２４はこの鍵部材の回動子２５に設けた回動杆、２６は回動杆２４と前記第二の錠片８との間に介在させた回動片である。」（第３頁第６欄第４〜２０行）、
　「上記鍵部材２３は鍵穴に鍵２９を差し入れ、この鍵を回動操作することによって回動子２５を回転させ、回動杆２４を回せるもので、図面において矢印Ｒ方向に操作したとき、回動杆２４をレバー７ａの上面に衝合させて第１の錠片７を押下げられるようにしてあり、また矢印Ｌ方向に操作したときワイヤ２８を引き上げて回動片２６を回動させ、第二の錠片８を押下げられるようにしてある。従って、前述の様に、各錠片７，８の傾斜係合溝１９，２０に係止杆９，１０を係合させて閉塞されたガラス枠３と前板４は上記鍵２９を左右に回動することによって上記係合が脱され、開放されることになる。そしてこの場合当該実施例では錠片７，８の押下げに伴って上記傾斜係合溝が下降し、その傾斜した上縁１９ｃ，２０ｃが係止杆９，１０に衝合して案内条溝１７，１８から押出すため、金枠２の前面に密着したガラス枠３と前板４は前方に押出され、容易に手を掛けて引き出すことができることになる。」（第３頁第６欄第３５行〜第４頁第７欄第９行）、
　「また、前板４を開放する場合、鍵の操作で回動片２６を作動させ、第二の錠片８を操作するようにしたが、ガラス枠３を開放した場合には直接上記第二の錠片８を指で押下げることができるので、ガラス枠と前板を同時に開放する場合にはガラス枠だけを鍵で開放操作すればよいことになる。」（第４頁第８欄第６〜１２行）。
　　　
　ii．甲第２号証における前記摘示の記載及び図面第１乃至４図によれば、該甲第２号証には、以下の発明が記載されているものと認められる。
　「（ｂ″）前枠１に鍵部材２３がその回動子２５を回動可能に固定され、
（ｃ″）該回動子２５の先端に前記ガラス枠用錠片７と係合する回動杆２４が固定され、
（ｄ″）前記基板６がパチンコ機の前枠１に収容した金枠２に縦に取付けられ、
（ｅ″）山形部２１を有する前板用錠片８が前記基板６に沿って該山形部２１を基板６に形成される案内条溝１８に突出させた状態で上下に摺動可能に配設され、該前板用錠片８を施錠側に付勢するバネ１６が取付けられ、該前板用錠片８の一部に押下部８ａが設けられ、
（ｆ″）前枠１内の下部に開閉可能に取付けられた前板４の縁部に係止杆１０が設けられ、
（ｇ″）該前板用錠片８の山形部２１が該係止杆１０に係止されて該前板４が施錠されるように構成するとともに、
（ｈ″）山形部２１を上下に有するガラス枠用錠片７が、前記基板６に沿って、該山形部２１を基板６に形成される案内条溝１７に突出させた状態で、摺動可能に配設され、
（ｉ″）該ガラス枠用錠片７の一部に前記回動杆２４が係合可能なレバー７ａが設けられ、
（ｊ″）ガラス枠３の一部に設けた係止杆９にガラス枠用錠片７の山形部２１が係止されてガラス枠３が施錠され、
(ｋ″)前記鍵部材２３をＲ方向に回して該回動杆２４を同方向に回動させ、
（ｌ″）ガラス枠用錠片７を摺動させてガラス枠３を解錠するように構成したパチンコ機の施錠装置。」
　　　　
３．本件発明２について
　（１）本件発明２と引用発明との対比
　i．本件発明２と引用発明とを対比すると、引用発明における、「機枠本体３」、「基枠１」、「前面枠５を形成する前板」、「基枠１に対する固着面部と立ち上がり面部とからなるベース板８」、「ベース板８の固着面部」、「ベース板８の立ち上がり面部」、「連結レバー２８及び作動レバー２５」、「係止金具１１」、「第１フック１２」、「キー挿入部１６」、「キー受け入れ軸」「ロック装置１０」は、それぞれ、本件発明における、「本体枠」、「前面枠」、「前パネル」、「基枠体」、「取付板」、「支持板」、「連結杆」、「受け金具」、「鉤部材」、「シリンダ錠」、「錠軸」、「施錠装置」に相当する。
　また、引用発明における「前面枠５」は「ガラス枠」と「前板」とからなるところ、それぞれが、本件発明２における「ガラス枠」と「前パネル」に相当するから、引用発明における「前面枠５を対象として第２フック１５を上下に有する連結レバー３２及び作動レバー２６」は、本件発明２における「鉤部を上下に有するガラス枠施錠杆」と対比して、「少なくともガラス枠を対象として鉤部を上下に有する施錠杆」において一致する。
　さらに、引用発明における「キー受け入れ軸の先端に固定される回動板４２に植設される解除ピン４３」は、本件発明２における「錠軸の先端に固定されるカム板」と対比して、「錠軸の先端に固定される錠軸側係合手段」において一致する。
　ii．そうすると、本件発明と引用発明の両者は、以下の点で一致及び相違するものと認められる。
　一致点．
　「（ａ°）取付板と支持板からなる基枠体の内側に連結杆が摺動可能に配設され、該支持板の上部と下部に鉤部材が連結杆に連結されて傾動可能に枢支され、
（ｂ°）該取付板の中間部にシリンダ錠がその錠軸を取付板に設けた孔から内側に差込むように固定され、
（ｃ°）該錠軸の先端に前記連結杆と係合する錠軸側係合手段が固定され、
（ｄ°）前記基枠体の取付板がパチンコ機の前面枠に縦に取付けられ、本体枠側に取付けられた受け金具に前記鉤部材が係止されて前面枠を施錠するパチンコ機の施錠装置において、
（ｈ°）少なくともガラス枠を対象として鉤部を上下に有する施錠杆が、前記支持板に沿って、該鉤部を取付板から前面側に突出させた状態で、摺動可能に配設され、
（ｉ°）該施錠杆の一部に前記係合手段が係合可能な施錠杆側係合手段が設けられ、
（ｊ°）ガラス枠の一部に設けた係止片にガラス枠施錠杆の鉤部が係止されてガラス枠が施錠され、
（ｋ°）前記シリンダ錠を前面枠の解錠時と反対方向に回して該錠軸側係合手段を同方向に回動させ、
（ｌ°）ガラス枠施錠杆を摺動させてガラス枠を解錠するように構成たことを特徴とするパチンコ機の施錠装置。」
　相違点Ａ．錠軸の先端に固定されて連結杆及び施錠杆と係合する錠軸側係合手段と、該錠軸側係合手段と係合する施錠杆側係合手段が、本件発明２では、それぞれ、カム板と、係合孔であるのに対して、引用発明では、解除ピン４３を植設した回動板４２と、解除片３９である点。
　相違点Ｂ．本体枠と前面枠とを施錠するために使用される連結杆が、摺動可能に配設される、取付板と支持板からなる基枠体において、本件発明２は、前パネルを対象として施錠杆が前記支持板に沿って該鉤部を取付板から前面側に突出させた状態で上下に摺動可能に配設され、該施錠杆を施錠側に付勢するばねが取付けられ、該施錠杆の一部に操作部が設けられ、前面枠内の下部に開閉可能に取付けられた前パネルの縁部に係止片が設けられ、該施錠杆の鉤部が該係止片に係止されて該前パネルが施錠されるように構成したのに対して、引用発明では、ガラス枠と前パネルとを一体化した前面枠５が施錠されるようにその縁部に係止片が設けられた前記施錠杆の構成である点。
　　　　
　（２）相違点の検討
　i．相違点Ａについて検討する。 
　パチンコ機の施錠装置の技術分野において、連結杆及び施錠杆と係合する錠軸側係合手段と、該錠軸側係合手段と係合する施錠杆側係合手段とを、それぞれ、カム板と、該カム板と係合する係合孔（あるいは係合切欠）とで構成することは周知技術（例えば、実公平４−３２１５０号公報、実公平７−１０７９８号公報、特開平７−２０４３３７号公報、特開平８−１４１１８３号公報）であるから、引用発明に示される前記係合構成に代えて、前記周知技術を採用して、前記相違点Ａにかかる本件発明２のように構成することは、当業者が容易に想到できるものである。
　ii．相違点Ｂについて検討する。
　本件発明２と甲第２号証に記載の発明とを対比すると、甲第２号証に記載の発明における、「ガラス枠３」、「前枠１」、「前板４」、「基板６」は、それぞれ、本件発明２における、「ガラス枠」、「前面枠」、「前パネル」、「基枠体」に相当するから、甲第２号証には、ガラス枠と前面枠との間の施錠装置であるガラス枠用施錠装置と、前パネルと前面枠との間の施錠装置である前パネル用施錠装置とにおいて、基枠体を共通にすることが記載されている。この点について、ガラス枠と前パネルとが分離独立して施錠されるように構成したパチンコ機の施錠装置は、周知の形態（例えば、甲第５号証乃至甲第７号証参照。）である。
　そして、甲第２号証に記載の発明の前板用施錠装置は、本件発明２の前パネル用施錠装置と対比して、本件発明が「鉤部を取付板から前面側に突出させた状態」構造であるのに対して、甲第２号証に記載の発明では該構造のものではない点で相違し、その余の構成において一致するところ、該構造は、引用発明におけるガラス枠と前パネルとを一体化した前面枠５に係止する鉤部の構造として既に開示されている。
　そうすると、引用発明に示される、ガラス枠と前パネルとを一体化した前面枠５について、これを前記周知の形態に倣って分離独立させるとともに、ガラス枠用施錠装置及び鉤部の構造については引用発明におけるガラス枠を含む施錠装置の構成を採用し、また、前パネル用施錠装置については甲第２号証に記載の発明における前パネル用施錠装置の構成を採用することによって、前記相違点Ｂにかかる本件発明２のように構成することは、当業者が容易に想到できるものである。
　iii．そして、本件発明２の作用効果は、引用発明及び甲第２号証に記載の発明に基づいて当業者が容易に予測できるものである。
　　　
　（３）まとめ
　よって、本件発明２は、甲第１号証に記載された発明（引用発明）及び甲第２号証に記載の発明に基づいて当業者が容易に発明をすることができたものであるから、特許法第２９条第２項の規定により特許を受けることができない。
　　　　
４．本件発明１について
　本件発明１は、本件発明２を包含した上位概念の発明であるところ、本件発明２が前記３．のとおり特許法第２９条第２項の規定により特許を受けることができないものであるから、本件発明１も当然に特許法第２９条第２項の規定により特許を受けることができないものである。
　　　　　　
５．むすび
　以上のとおり、本件発明１及び２は、甲第１号証及び甲第２号証に記載の発明に基いて当業者が容易に発明をすることができたものであり、特許法第２９条第２項の規定に違反して特許されたものであるから、本件発明１及び２の特許は、同法第１２３条第１項第２号の規定により、無効とすべきものである。
　審判に関する費用については、特許法第１６９条第２項の規定で準用する民事訴訟法第６１条の規定により、被請求人が負担すべきものとする。
　よって、結論のとおり審決する。